(57)【要約】【課題】家具レイアウトの自由度を高めるとともに、限られた大きさの室内空間を有効活用することにより、居室の使い勝手や住環境を向上させ、また、時間と共に変化する家族構成やライフスタイル等の変化に容易に対応することを可能にした、共用収納室付き居室を備える建物を提供する。【解決手段】本発明の共用収納室付き居室を備える建物は、共用収納室１３と、共用収納室１３を挟んで両側に設けられた一対の小空間１２とを有する居室１１を備え、共用収納室１３は、それぞれの小空間１２から共用収納室１３への出入りを可能とする少なくとも１つの収納室出入口１４を有し、居室１１は、間仕切壁１６を隔てて居室１１に隣接する他の屋内空間への出入りを可能とする居室出入口１７を有することを特徴とする。【選択図】図１
2016211148.tif 000002
【特許請求の範囲】
【請求項１】
共用収納室と、該共用収納室を挟んで両側に設けられた一対の小空間とを有する居室を備え、
前記共用収納室は、それぞれの前記小空間から該共用収納室への出入りを可能とする少なくとも１つの収納室出入口を有し、
前記居室は、間仕切壁を隔てて該居室に隣接する他の屋内空間への出入りを可能とする居室出入口を有する、共用収納室付き居室を備える建物。
【請求項２】
前記共用収納室は、前記間仕切壁に対して略直交し、該共用収納室と前記一対の小空間とをそれぞれ区画する、一対の第１区画壁を有し、
前記一対の第１区画壁における各一端は、前記間仕切壁に対向する対向壁にそれぞれ接続され、
該一対の第１区画壁における各他端は、該他端同士を連結する第２区画壁にそれぞれ接続され、
該第２区画壁に前記収納室出入口が設けられている、請求項１に記載の共用収納室付き居室を備える建物。
【請求項３】
前記共用収納室は、前記間仕切壁に対して略直交し、該共用収納室と前記一対の小空間とをそれぞれ区画する、一対の第１区画壁を有し、
前記一対の第１区画壁における各一端は、前記間仕切壁にそれぞれ接続され、
該一対の第１区画壁における各他端は、前記間仕切壁に対向する対向壁にそれぞれ接続され、
前記一対の第１区画壁にそれぞれ前記収納室出入口が設けられている、請求項１に記載の共用収納室付き居室を備える建物。
【請求項４】
前記共用収納室は、前記間仕切壁に対して略直交し、該共用収納室と前記一対の小空間とをそれぞれ区画する、一対の第１区画壁を有し、
前記一対の第１区画壁における各一端は、前記間仕切壁にそれぞれ接続され、
該一対の第１区画壁における各他端は、該他端同士を連結する第２区画壁にそれぞれ接続され、
前記間仕切壁に対向する対向壁と、前記第２区画壁とを連結する第３区画壁を備え、
前記一対の第１区画壁にそれぞれ前記収納室出入口が設けられている、請求項１に記載の共用収納室付き居室を備える建物。
【請求項５】
前記第３区画壁が、着脱自在または開閉自在である、請求項４に記載の共用収納室付き居室を備える建物。
【請求項６】
前記共用収納室の上方に天袋収納室が設けられ、
該天袋収納室は、上方区画壁によって、前記一対の小空間のそれぞれに開口する一対の天袋収納室に区画される、請求項１〜５の何れか一項に記載の共用収納室付き居室を備える建物。
【請求項７】
前記共用収納室の上方に、前記一対の小空間の何れにも連通するロフト部が設けられている、請求項１〜５の何れか一項に記載の共用収納室付き居室を備える建物。
【請求項８】
前記間仕切壁に設けた前記居室出入口を、前記共用収納室及び前記一対の小空間の何れにも出入り可能な構成とした、請求項３又は４に記載の共用収納室付き居室を備える建物。
【発明の詳細な説明】
【技術分野】
【０００１】
本発明は、共用収納室付き居室を備える建物に関するものである。
【背景技術】
【０００２】
従来、例えば夫婦及び２人の子供で構成される４人家族が住むことを想定した住宅においては、間仕切壁を隔てて一対の子供室（子供１人が占有する部屋）を左右対称に設けることが一般的に行われている（特許文献１参照）。
【０００３】
この様な住宅において、それぞれの子供室にはクローゼット等の収納部が設けられており、さらに、シングルベッド、学習机、及び本棚等の家具を配置することを考慮すると、それぞれの子供室には６畳程度の広さが必要とされている。
【先行技術文献】
【特許文献】
【０００４】
【特許文献１】特開２００１−３３６２９３号公報
【発明の概要】
【発明が解決しようとする課題】
【０００５】
しかしながら、住宅全体の規模が小さく、各子供室に６畳の広さが確保できない場合には、家具を配置すると部屋が窮屈で使い難くなることがある。また、各子供室が狭い場合には、十分な大きさの窓を設けることができず、採光や通風などの住環境の面でも不利になることがある。
【０００６】
また、各子供室に６畳の広さを確保できた場合でも、壁に沿わせて配置する本棚等の家具は、室内で配置可能な場所が限られてしまうため、家具レイアウトが制限される。そのため、時間と共に家族構成やライフスタイルが変化していく中で、その変化に合わせて部屋のレイアウトを柔軟に変更することができず、使い勝手の面で改善の余地があった。
【０００７】
本発明は、このような問題点を解決することを課題とするものであり、その目的は、家具レイアウトの自由度を高めるとともに、限られた大きさの室内空間を有効活用することにより、居室の使い勝手や住環境を向上させ、また、時間と共に変化する家族構成やライフスタイル等の変化に容易に対応することを可能にした、共用収納室付き居室を備える建物を提供することである。
【課題を解決するための手段】
【０００８】
本発明は、上記課題を解決するためになされたものであり、本発明の共用収納室付き居室を備える建物は、共用収納室と、該共用収納室を挟んで両側に設けられた一対の小空間とを有する居室を備え、前記共用収納室は、それぞれの前記小空間から該共用収納室への出入りを可能とする少なくとも１つの収納室出入口を有し、前記居室は、間仕切壁を隔てて該居室に隣接する他の屋内空間への出入りを可能とする居室出入口を有することを特徴とする。ここで、本発明において「他の屋内空間」とは、廊下や他の居室等の、建物内における他の空間を意味する。
【０００９】
また、本発明の共用収納室付き居室を備える建物にあっては、前記共用収納室は、前記間仕切壁に対して略直交し、該共用収納室と前記一対の小空間とをそれぞれ区画する、一対の第１区画壁を有し、前記一対の第１区画壁における各一端は、前記間仕切壁に対向する対向壁にそれぞれ接続され、該一対の第１区画壁における各他端は、該他端同士を連結する第２区画壁にそれぞれ接続され、該第２区画壁に前記収納室出入口が設けられていることが好ましい。
【００１０】
また、本発明の共用収納室付き居室を備える建物にあっては、前記共用収納室は、前記間仕切壁に対して略直交し、該共用収納室と前記一対の小空間とをそれぞれ区画する、一対の第１区画壁を有し、前記一対の第１区画壁における各一端は、前記間仕切壁にそれぞれ接続され、該一対の第１区画壁における各他端は、前記間仕切壁に対向する対向壁にそれぞれ接続され、前記一対の第１区画壁にそれぞれ前記収納室出入口が設けられていることが好ましい。
【００１１】
また、本発明の共用収納室付き居室を備える建物にあっては、前記共用収納室は、前記間仕切壁に対して略直交し、該共用収納室と前記一対の小空間とをそれぞれ区画する、一対の第１区画壁を有し、前記一対の第１区画壁における各一端は、前記間仕切壁にそれぞれ接続され、該一対の第１区画壁における各他端は、該他端同士を連結する第２区画壁にそれぞれ接続され、前記間仕切壁に対向する対向壁と、前記第２区画壁とを連結する第３区画壁を備え、前記一対の第１区画壁にそれぞれ前記収納室出入口が設けられていることが好ましい。
【００１２】
また、本発明の共用収納室付き居室を備える建物にあっては、前記第３区画壁が、着脱自在または開閉自在であることが好ましい。
【００１３】
また、本発明の共用収納室付き居室を備える建物にあっては、前記共用収納室の上方に天袋収納室が設けられ、該天袋収納室は、上方区画壁によって、前記一対の小空間のそれぞれに開口する一対の天袋収納室に区画されることが好ましい。
【００１４】
また、本発明の共用収納室付き居室を備える建物にあっては、前記共用収納室の上方に、前記一対の小空間の何れにも連通するロフト部が設けられていることが好ましい。
【００１５】
また、本発明の共用収納室付き居室を備える建物にあっては、前記間仕切壁に設けた前記居室出入口を、前記共用収納室及び前記一対の小空間の何れにも出入り可能な構成とすることが好ましい。
【発明の効果】
【００１６】
本発明によれば、家具レイアウトの自由度を高めるとともに、限られた大きさの室内空間を有効活用することにより、居室の使い勝手や住環境を向上させ、また、時間と共に変化する家族構成やライフスタイル等の変化に容易に対応することを可能にした、共用収納室付き居室を備える建物を提供することが可能となる。
【図面の簡単な説明】
【００１７】
【図１】本発明に係る共用収納室付き居室を備えた建物の一例を示す図であり、（ａ）は１階の間取りを示し、（ｂ）は２階の間取りを示す。
【図２】（ａ）は、本発明の一実施形態に係る共用収納室付き居室の間取りを示す図であり、（ｂ）は、従来の間取りの一例を示す図である。
【図３】（ａ）は、本発明の他の実施形態に係る共用収納室付き居室の間取りを示す図であり、（ｂ）は、従来の間取りの一例を示す図である。
【図４】（ａ）は、本発明の他の実施形態に係る共用収納室付き居室の間取りを示す図であり、（ｂ）は、従来の間取りの一例を示す図である。
【図５】（ａ）は、本発明に係る共用収納室の構成の一例を示す図であり、（ｂ）は、本発明に係る共用収納室の構成の他の例を示す図であり、（ｃ）は本発明に係る居室出入口の一例を示す図であり、（ｄ）は本発明に係る居室出入口の他の例を示す図である。
【図６】本発明に係る共用収納室付き居室を備えた建物の他の例を示す図であり、（ａ）は１階の間取りを示し、（ｂ）は２階の間取りを示す。
【発明を実施するための形態】
【００１８】
以下、図面を参照しつつ、本発明に係る共用収納室付き居室を備える建物の実施形態について説明する。なお、本発明の共用収納室付き居室を備える建物は、例えば、鉄骨造の軸組架構を有する工業化住宅であり、予め規格化(標準化)された構造部材の組み合わせによって架構が構成される。このような工業化住宅は、構造部材を工場にて製造し、現場にて組み立て作業を行うことで施工の効率を高めている。
【００１９】
図１（ａ）は、夫婦及び子供２人で構成される４人家族が住むことを想定した２階建て住宅１における１階の間取りを示しており、（ｂ）は２階の間取りを示している。なお、図示した間取りは、本発明を適用可能な住宅の一例を示すものであり、これに限定されるものではない。
【００２０】
図１（ａ）に示すように、住宅１の１階には、玄関２、廊下３、ＬＤＫ（リビング・ダイニング・キッチン）４、和室５、トイレ６、洗面室７、及び、浴室８が設けられており、階段９を介して２階に繋がっている。
【００２１】
図１（ｂ）に示すように、住宅１の２階には、２人の子供が使用する子供室としての居室１１が設けられている。居室１１は、２人の子供がそれぞれ使用する一対の小空間１２と、一対の小空間１２に挟まれる位置に設けられた共用収納室１３を備え、共用収納室１３にはそれぞれの小空間１２から出入り可能な収納室出入口１４が設けられている。
【００２２】
図１に示すように、居室１１は、階段９を介して１階へと連なる廊下１５に隣接しており、間仕切壁１６によって当該廊下１５と区画されている。間仕切壁１６には、居室１１に出入りするための居室出入口１７が設けられている。図示例では、一対の小空間１２それぞれに対応する一対の居室出入口１７が設けられている。
【００２３】
以下に、従来の同一の大きさの一般的な間取りと比較しながら本発明の他の実施形態について詳細に説明する。
【００２４】
図２（ａ）は、北側配置を想定した、全体で１２畳の面積を有する居室１１の間取りを示す。居室１１は、４つの壁１６、１６´、１８、１８´に囲まれた平面視で略矩形状（長辺７２００〜７４００ｍｍ程度、短辺２７００〜２８００ｍｍ程度）の空間であり、４つの壁のうち、１６及び１６´は、隣接する他の屋内空間との間を仕切る間仕切壁である。また、１８及び１８´は、外部空間と建物内部空間とを区画する外周壁であり、それぞれに採光及び開閉が可能な窓１９が設けられている。間仕切壁１６には、一対の居室出入口１７が設けられ、それぞれに引き戸形式の扉１７ａが配置されている。なお、居室出入口１７の数及び位置は特に限定されず、中央に１つのみ設ける構成としても良い。また、扉１７ａは、空間を有効利用する観点から引き戸形式が好ましいが、これに限らず、開き戸形式等、任意の開閉形式を採用することができる。また、４つの壁のうち１６以外の３つの壁は、間仕切壁であっても外周壁であってもよい。
【００２５】
居室１１には、平面視で略矩形状（長辺１８００〜１８５０ｍｍ程度、短辺１２００〜１３００ｍｍ程度）の共用収納室１３を挟んで両側に配置された一対の小空間１２が左右対称に設けられている。一対の小空間１２にはそれぞれ、学習机２４（幅１２００ｍｍ、奥行７００ｍｍ程度）、本棚２５（奥行４００ｍｍ程度）、及びシングルベッド２６（幅１０００ｍｍ、長さ２０００ｍｍ程度）が配置されている。
【００２６】
共用収納室１３は、間仕切壁１６に直交する一対の第１区画壁２１を有し、第１区画壁２１が共用収納室１３とそれぞれの小空間１２とを区画している。なお、第１区画壁２１は、必ずしも間仕切壁１６に直交している必要はなく、間仕切壁１６に直交する方向に対して傾斜していてもよい。
【００２７】
各第１区画壁２１の一端は、間仕切壁１６に対向する外周壁（対向壁）１８にそれぞれ接続され、他端は、他端同士を連結する第２区画壁２２にそれぞれ接続されている。また、第２区画壁２２には、それぞれの小空間１２から共用収納室１３への出入りを可能とする収納室出入口１４が設けられている。なお、収納室出入口１４に設ける扉の形態は特に限定されるものではなく、折り戸形式、引き戸形式、開き戸形式等の任意の扉を設けることが可能であり、図示例のように、扉を設けずに常に開放しておくことも可能である。
【００２８】
図２（ｂ）は、従来の一般的な２人の子供が使用する子供室としての居室３１の間取りの一例であり、それぞれ６畳（長辺３６００〜３７００ｍｍ程度、短辺２７００〜２８００ｍｍ程度）の広さを有する一対の小空間（子供部屋）３２が仕切壁３３に対して左右対称に設けられている。それぞれの小空間３２には、クローゼット等の収納部３４が仕切壁３３に沿って設けられている。それぞれの収納部３４は、平面視で略矩形状（間口１８００〜１８５０ｍｍ程度、奥行６００〜６５０ｍｍ程度）であり、小空間３２側の面全体が開口しており、左右に開く折り戸形式の一対の扉３５が設けられている。
【００２９】
このような従来の居室３１においては、扉３５の開閉操作や収納物の出し入れの妨げになるため、収納部３４の扉３５の可動領域付近には学習机２４、本棚２５、及びシングルベッド２６等の家具を配置することができない。また、図示例のように、小空間３２への居室出入口３６に開き戸形式の扉３６ａを設けた場合、扉３６ａの可動領域付近には家具を配置することができない。さらに、窓１９の前に本棚２５等の高さのある家具を配置すると、採光や通風の妨げとなるため、窓１９の位置を避けて本棚２５を配置する必要がある。このように、従来の間取りの居室３１は、家具レイアウトに制限が多いため、空間を有効に活用することができず、また、家具の配置を変更し難いものである。
【００３０】
これに対して、図２（ａ）に示す居室１１にあっては、第１区画壁２１に出入口や扉が設けられていないため、家具を第１区画壁２１の壁面に寄せた状態で配置することができる。したがって、図２（ｂ）に示す居室３１に比べて家具レイアウトの自由度が高まり、限られた居室１１の空間を有効に活用することが可能となる。また、家具の配置の変更も容易となる。
【００３１】
また、図２（ｂ）に示すように各小空間３２に別々に設けた収納部３４に比べて、奥行きが長く、容積が大きい共用収納室１３を設けたことにより、従来の収納部３４では収納できなかった大きさの収納物も収納でき、収納効率を高めることができる。
【００３２】
また、本実施形態において一対の小空間１２は、第２区画壁２２と間仕切壁１６ａの間の通路を介して相互に連通しているため、居室出入口１７を通らずに一方側の小空間１２から他方側へと出入りすることができ、移動が容易となる。
【００３３】
さらに、本実施形態の居室１１にあっては、時間と共に変化する家族構成やライフスタイル等の変化に対応することが容易となる。具体的には、例えば、２人の子供の学童期には、一方の小空間１２にシングルベッド２６を２台配置して共用の寝室として使用し、他方の小空間１２に学習机２４と本棚２５を２台ずつ配置し、共用の勉強部屋として使用することができる。そして、子供達の受験期には、それぞれの小空間１２に、学習机２４、本棚２５及びシングルベッド２６を１台ずつ配置して、各小空間１２をそれぞれのプライベートな空間とすることも可能である。この場合、必要に応じて、一対の小空間１２の間に着脱可能な仕切り壁等を設けても良い。さらに、子供達の独立後においては、ソファ、テーブル、テレビ等を配置し、夫婦それぞれのプライベートな空間とすることも可能である。
【００３４】
以下に、本発明の他の実施形態について説明する。なお、上述した実施形態と同様の構成については、同一の符号で示している。図３（ａ）は、北側配置を想定した、全体で８畳の面積（長辺７２００〜７４００ｍｍ程度、短辺１８００〜１８５０ｍｍ程度）を有する居室４１の間取りを示す。本実施形態の共用収納室１３にあっては、平面視で一辺が１２００〜１２５０ｍｍ程度の略正方形であり、一対の第１区画壁２１の各一端が間仕切壁１６にそれぞれ接続され、各他端が対向壁１８にそれぞれ接続されている。
【００３５】
また、第１区画壁２１にはそれぞれの小空間１２から共用収納室１３への出入りを可能とする収納室出入口１４が設けられている。なお、図３（ａ）に示す例では、収納室出入口１４に折り戸形式の扉１４ａが設けられているが、これに限定されず、引き戸形式や開き戸形式等の任意の扉を設けても良いし、扉１４ａを設けずに常に開放しておくことも可能である。
【００３６】
図３（ｂ）は、従来の居室５１の間取りの一例であり、それぞれ４畳の広さ（長辺３６００〜３７００ｍｍ程度、短辺１８００〜１８５０ｍｍ程度）を有する一対の小空間３２が仕切壁３３に対して左右対称に設けられている。また、収納部３４は、平面視で略矩形状（間口１２００〜１２５０ｍｍ程度、奥行６００〜６５０ｍｍ程度）である。この例では、図示のように本棚２５とシングルベッド２６を配置すると、学習机を配置することができない。
【００３７】
これに対して、図３（ａ）に示す本実施形態の居室４１にあっては、第１区画壁２１に寄せて家具を配置することができるので、シングルベッド２６と本棚２５に加えて、学習机２４を配置するが可能となる。すなわち、先の実施形態と同様に、家具レイアウトの自由度が高まり、限られた空間を有効活用することができる。
【００３８】
図４（ａ）は、南側配置を想定した、全体で９畳の面積（長辺５４００〜５６００ｍｍ程度、短辺２７００〜２８００ｍｍ程度）を有する居室６１の間取りを示す。本実施形態の共用収納室１３は、平面視で一辺が１２００〜１２５０ｍｍ程度の略正方形であり、第１区画壁２１の一端が、間仕切壁１６にそれぞれ接続され、他端が、該他端同士を連結する第２区画壁２２にそれぞれ接続されている。また、間仕切壁１６に対向する対向壁１８と、第２区画壁２２とを連結する第３区画壁２３が設けられている。また、第１区画壁２１には、折り戸形式の扉１４ａを有する収納室出入口１４が設けられている。
【００３９】
図４（ｂ）は、従来の居室７１の間取りの一例であり、それぞれ４．５畳の広さ（平面視で一辺が２７００〜２８００ｍｍ程度の略正方形状）を有する一対の小空間３２が仕切壁３３に対して左右対称に設けられている。この例では、間仕切壁１６に沿って収納部３４（平面視で略矩形状、間口１２００〜１２５０ｍｍ程度、奥行６００〜６５０ｍｍ程度）が設けられており、本棚２５とシングルベッド２６を図４（ｂ）のように配置すると、学習机を配置することができない。
【００４０】
これに対して、図４（ａ）に示す本実施形態の居室６１にあっては、第３区画壁２３に寄せて家具を配置することができるので、シングルベッド２６と本棚２５に加えて、学習机２４を配置するが可能となる。すなわち、先の実施形態と同様に、家具レイアウトの自由度が高まり、限られた空間を有効活用することができる。
【００４１】
ここで、図４（ａ）に示す居室６１にあっては、第３区画壁２３が着脱自在または開閉自在であることが好ましい。例えば、第３区画壁２３を着脱自在な可動間仕切りとした場合には、必要に応じて第３区画壁２３を取り外すことで、各小空間１２を連通させて移動を容易にするとともに、一対の小空間１２を合わせた広い１つの空間として利用することが可能となる。また、第３区画壁２３に開閉自在な扉を設けて、一方の小空間１２から他方への移動を容易にしつつも、各小空間１２をプライベートな空間として使用することも可能である。
【００４２】
ここで、先の各実施形態で説明した本発明の共用収納室１３の高さは特に限定されるものではなく、居室１１の床面から天井まで延びる構成としても良いし、床面から所定の高さまでとしてもよい。例えば、図５（ａ）に示すように、共用収納室１３の上方に天袋収納室２７を設けることも可能である。この場合には、図示のように、共用収納室１３の天板と居室１１の天井とを連結する上方区画壁２８を設け、一対の小空間１２のそれぞれに開口する一対の天袋収納室２７に区画することが好ましい。
【００４３】
このような天袋収納室２７を共用収納室１３の上方に設けることにより、それぞれの小空間１２に専用の収納部を設けることができる。また、共用収納室１３の天面が天袋収納室２７の床面となるため、それぞれの小空間１２に２段の床面が形成されることとなり、収納効率をさらに高めることが可能となる。
【００４４】
また、天袋収納室２７は、高い位置で開口しているため、家具レイアウトに与える影響が小さく、第１区画壁２１に寄せて家具を配置することも可能である。さらに、上方区画壁２８を設けることで奥行が浅くなるため、収納物の出し入れが容易となる。
【００４５】
また、図５（ｂ）に示すように、共用収納室１３の上方に、一対の小空間１２の何れにも連通するロフト部２９を設けても良い。この場合、それぞれの小空間１２の独立性を確保しつつも、通風や採光を高めて、小空間１２の環境を向上させることができる。また、ロフト部２９を設ける場合には、落下防止用の柵を設けることが好ましい。
【００４６】
また、間仕切壁１６に設ける居室出入口１７及び扉１７ａの形態は特に限定されるものではなく、任意の数、大きさの居室出入口１７を設けることができる。例えば、図５（ｃ）に示すように、一対の小空間１２それぞれに対応するよう一対の居室出入口１７を設け、それぞれに引き戸形式の扉１７ａを設けることができる。また、図５（ｄ）に示すように、大きな居室出入口１７を１つ設けて、左右両側に開く４枚引違いの引き戸形式の扉１７ａを設けても良い。図３（ａ）、図４（ａ）に示す居室４１、６１のように、第１区画壁２１が間仕切壁１６に接続されている場合、すなわち、間仕切壁１６に隣接するように共用収納室１３が設けられている場合には、図５（ｄ）に示す居室出入口１７及び扉１７ａを設けることで、廊下等の屋内空間から、共用収納室１３及び一対の小空間１２の何れにも出入り可能な構成とすることができる。このような構成とすることで、廊下等の他の屋内空間から直接、共用収納室１３に出入りすることが可能となり、また、小空間１２を介さずに、廊下等から共用収納室１３への収納物の出し入れが可能となる。図５（ｄ）のように４枚引違い形式とすることで、共用収納室１３に対応する開口を、引き戸２枚分の広さとすることができ、サイズの大きな収納物の出し入れが容易となる。
【００４７】
図６は、本発明のさらに他の実施形態としての２階建て住宅１０１の、（ａ）は１階の間取りを示し、（ｂ）は２階の間取りを示したものである。図６（ａ）に示すように、住宅１０１の１階には、玄関２、ＬＤＫ（リビング・ダイニング・キッチン）４、和室５、トイレ６、洗面室７、及び、浴室８が設けられており、階段９を介して２階に繋がっている。
【００４８】
図６（ｂ）に示すように、住宅１０１の２階には、２人の子供が使用する子供室としての居室１１が設けられている。居室１１は、２人の子供がそれぞれ使用する左右一対の小空間１２と、一対の小空間１２に挟まれる位置に設けられた共用収納室１３を備え、共用収納室１３にはそれぞれの小空間１２から出入り可能な収納室出入口１４が設けられている。一方の小空間１２には２台のシングルベッド２６が配置され、共用収納室１３を挟んで他方の小空間１２には、各２台の学習机２４と本棚２５が配置されている。本実施形態においても、第１区画壁２１に沿って、シングルベッド２６や本棚２５を配置することができるので、先の実施形態と同様に、限られた空間を有効に活用することができる。
【符号の説明】
【００４９】
１、１０１  住宅（建物）
２  玄関
３  廊下
４  ＬＤＫ
５  和室
６  トイレ
７  洗面室
８  浴室
９  階段
１１、３１、４１、５１、６１、７１  居室
１２  小空間
１３  共用収納室
１４  収納室出入口
１４ａ  扉
１５  廊下
１６  間仕切壁
１７  居室出入口
１７ａ  扉
１８  対向壁
１９  窓
２１  第１区画壁
２２  第２区画壁
２３  第３区画壁
２４  学習机
２５  本棚
２６  ベッド
２７  天袋収納室
２８  上方区画壁
２９  ロフト部
３２  小空間
３３  仕切壁
３４  収納部
３５  扉
３６  居室出入口
３６ａ  扉
【図１】
2016211148.tif 000003
【図２】
2016211148.tif 000004
【図３】
2016211148.tif 000005
【図４】
2016211148.tif 000006
【図５】
2016211148.tif 000007
【図６】
2016211148.tif 000008